(57)【要約】【課題】分別処理のための封筒本体とバブルシートとの分離を容易に行なえるようにする。【解決手段】紙製シートからなる封筒本体１の表側のシート部２と裏側のシート部３との間には合成樹脂製シートを材料としてエアをセル状に密閉して形成されたバブルシート４，５が２枚重なった状態で挟まれ、内容物の出入口となる一端部を除く周囲３辺での３方シール部で熱溶着により止められてなる封筒において、３方シール部以外の残りの１つの辺において前記表側のシート部２の内面に重なる一方のバブルシート４の上端部である一端部は表側のシート部２の内面に対し途中複数箇所で分断して接着剤により接着固定されてはいるが熱接着されておらず、前記裏側のシート部３の内面に重なる他方のバブルシート５の上端部である一端部は裏側のシート部３の内面に対し途中複数箇所で分断して接着剤により接着固定されてはいるが熱接着されていない。【選択図】図４
2008110815.tif 000002
【特許請求の範囲】
【請求項１】
紙製シートからなる封筒本体の表側のシート部と裏側のシート部との間には合成樹脂製シートを材料としてエアをセル状に密閉して形成されたバブルシートが２枚重なった状態で挟まれ、内容物の出入口となる一端部を除く周囲３辺での３方シール部で熱溶着により止められてなる封筒において、前記３方シール部以外の残りの１つの辺において封筒本体の表側のシート部の内面に重なる一方のバブルシートの封筒を立てた状態における上端部である一端部と封筒本体の裏側のシート部の内面に重なる他方のバブルシートの封筒を立てた状態における上端部は同一高さであり、前記一方のバブルシートの上端部である一端部は表側のシート部の内面に対し途中複数箇所で分断して接着剤により接着固定されてはいるが熱接着されておらず、前記他方のバブルシートの上端部である一端部は裏側のシート部の内面に対し途中複数箇所で分断して接着剤により接着固定されてはいるが熱接着されていないことを特徴とする封筒。
【発明の詳細な説明】
【技術分野】
【０００１】
本発明は、クッション性に優れた封筒に関するものである。
【背景技術】
【０００２】
従来から紙製シートからなる封筒本体の内面に、合成樹脂製シートを材料としてエアをセル状に密閉して形成されたバブルシートが袋状に装備され、この袋状のバブルシートで内容物が包まれるようにしてクッション性を持たせた封筒が一般に知られている。
【０００３】
前記封筒本体の内面に装着されるバブルシートは封筒本体の内面に対して封筒本体の一端を除く周囲３辺での３方シール部で挟まれて熱溶着により止められ、また封筒本体の一端の内容物の出入口近傍において封筒本体の内面に熱溶着により止められている。つまり、封筒本体の内側２面に重なる２枚のバブルシートは前記封筒本体の一端を除く周囲３辺での３方シール部で同時に封筒本体の内面に対して熱溶着により止められるとともに、２枚のバブルシートの残りの１つの辺は封筒本体の一端の内容物の出入口近傍において封筒本体の内面に熱溶着により止められており、封筒本体の内側２面に重なる２枚のバブルシートの全周は封筒本体の内面に対して熱溶着により完全に接合されていることになる。
【発明の開示】
【発明が解決しようとする課題】
【０００４】
上記従来のような構成のバブルシート付きの封筒を使用後において廃棄処分するときは、紙製シートからなる封筒本体と合成樹脂製シートからなるバブルシートとを切り離して分別処理することが必要となってきており、前述のようにバブルシートの全周は封筒本体の内面に対して熱溶着により完全に接合されていると、バブルシートを封筒本体から剥がしにくく、分別処理に手間取るという問題があった。
【０００５】
本発明はこのような課題を解決するもので、分別処理のための封筒本体とバブルシートとの分離を容易に行なえるようにすることを目的とするものである。
【課題を解決するための手段】
【０００６】
本発明の請求項１に記載の封筒は、紙製シートからなる封筒本体の表側のシート部と裏側のシート部との間には合成樹脂製シートを材料としてエアをセル状に密閉して形成されたバブルシートが２枚重なった状態で挟まれ、内容物の出入口となる一端部を除く周囲３辺での３方シール部で熱溶着により止められてなる封筒において、前記３方シール部以外の残りの１つの辺において封筒本体の表側のシート部の内面に重なる一方のバブルシートの封筒を立てた状態における上端部である一端部と封筒本体の裏側のシート部の内面に重なる他方のバブルシートの封筒を立てた状態における上端部は同一高さであり、前記一方のバブルシートの上端部である一端部は表側のシート部の内面に対し途中複数箇所で分断して接着剤により接着固定されてはいるが熱接着されておらず、前記他方のバブルシートの上端部である一端部は裏側のシート部の内面に対し途中複数箇所で分断して接着剤により接着固定されてはいるが熱接着されていないことを特徴とする。
【発明の効果】
【０００７】
以上のように、本発明の封筒は、紙製シートからなる封筒本体の３方シール部以外の残りの１つの辺において表側のシート部の内面に重なる一方のバブルシートの一端部は表側のシート部の内面に対し接着剤により接着固定され、また裏側のシート部の内面に重なる他方のバブルシートの一端部も裏側のシート部の内面に対し接着剤により接着固定されていることにより、分別処理の際の表側のシート部からの一方のバブルシートの引き剥がしおよび裏側のシート部からの他方のバブルシートの引き剥がしを容易に行なうことができる。
【発明を実施するための最良の形態】
【０００８】
以下、本発明の一実施の形態を、図１〜図４を用いて具体的に説明する。
図において、１は紙製シートからなる封筒本体で、表側のシート部２と裏側のシート部３とからなり、表側のシート部２と裏側のシート部３との間には合成樹脂製シートを材料としてエアをセル状に密閉して形成されたバブルシート４，５が２枚重なった状態で挟まれ、一端（封筒を立てた状態における上端）を除く周囲３辺での３方シール部で熱溶着により止められている。６はその熱溶着部である。また、前記３方シール部以外の残りの１つの辺において封筒本体１の表側のシート部２の内面に重なる一方のバブルシート４の上端部は表側のシート部２の内面に対し接着剤により接着固定され、また３方シール部以外の残りの１つの辺において封筒本体１の裏側のシート部３の内面に重なる他方のバブルシート５の上端部は裏側のシート部３の内面に対し接着剤により接着固定されている。７はその接着部である。図面に示す実施の形態では表側のシート部２と一方のバブルシート４および裏側のシート部３と他方のバブルシート５との接着部７は封筒の幅方向全長に亘って設けられており、分別処理の際にバブルシート４および５の上端が摘み易いようにバブルシート４および５の上端より少し下側位置で接着されているが、接着部７を途中数箇所で分断しておいても分別処理の際にバブルシート４および５の上端が摘み易くなる。なお図中、８は封筒本体１の表側のシート部２の上端に連設されている折り返し片で、この折り返し片８の内面には粘着剤９が付設され、折り返し片８で封筒の上端を閉じない状態のときは粘着剤９は離型紙１０により覆われている。
【０００９】
上記構成において、封筒を使用後において廃棄処分するときは、紙製シートからなる封筒本体１と合成樹脂製シートからなるバブルシート４，５とを切り離して分別処理することが必要であり、そのとき本実施の形態では封筒の上端より指を入れてバブルシート４が接着されている表側のシート部２とバブルシート５が接着されている裏側のシート部３とを前記３方シール部の熱溶着部６で引き裂くように切り離し、その後、表側のシート部２からバブルシート４を前記接着部７から引き剥がすとともに、裏側のシート部３からバブルシート５を前記接着部７から引き剥がすことにより、紙製シートからなる封筒本体１と合成樹脂製シートからなるバブルシート４，５とが分別されることになる。このように本実施の形態では表側のシート部２とバブルシート４ならびに裏側のシート部３とバブルシート５との接合部の一部に前記接着部７を存在せしめ、表側のシート部２からのバブルシート４の引き剥がしおよび裏側のシート部３からのバブルシート５の引き剥がしを容易に行なえるようにしてある。
【図面の簡単な説明】
【００１０】
【図１】本発明の一実施の形態における封筒の斜視図である。
【図２】図１のＸ−Ｘ断面図である。
【図３】図１のＹ−Ｙ断面図である。
【図４】図２の要部拡大図である。
【符号の説明】
【００１１】
１        封筒本体
２        表側のシート部
３        裏側のシート部
４，５    バブルシート
６        熱溶着部
７        接着部
８        折り返し片
９        粘着剤
１０        離型紙
【図１】
2008110815.tif 000003
【図２】
2008110815.tif 000004
【図３】
2008110815.tif 000005
【図４】
2008110815.tif 000006